(57)【要約】【課題】刃をハンドル内に容易に折り畳むことができ、刃をしっかりと保持することができるとともにその交換が容易であり、使用が簡単で製造と保守に高い費用を必要としない、折り畳み可能な万能ナイフを提供する。【解決手段】万能ナイフ１は、ハンドル２と、ハンドルに旋回可能に取り付けられ、展開状態から折り畳み状態に移動できる刃ホルダ３を有する。ハンドルは、刃ホルダがその折り畳み状態にあるとき、刃ホルダを収容することができる空間部を有する。刃ホルダは、一緒に取り付けられてその間に刃Ｂを収容することができる主壁３４及びガード壁３５と、刃ホルダに旋回可能に取り付けられて刃を定位置にロックするロック手段とを含む。【選択図】図１
2005261944.tif 000002
【特許請求の範囲】
【請求項１】
ハンドルと刃ホルダとを有する万能ナイフにおいて、上記刃ホルダは、上記ハンドルに旋回可能に取り付けられて展開状態から折り畳み状態に移動することができ、上記刃ホルダは、一緒に取り付けられた主壁とガード壁とを有し、上記主壁と上記ガード壁は、これらの間に刃を収容するための手段と、上記主壁と上記ガード壁の間に上記刃を保持するためのロック手段とを有し、上記ロック手段は、上記刃ホルダに旋回可能に取り付けられたことを特徴とする万能ナイフ。
【請求項２】
上記ガード壁と上記主壁は組み合わせて取り付けられ、これらの間に刃を収容することができるスリットを有することを特徴とする請求項１に記載の万能ナイフ。
【請求項３】
上記ロック手段は、上記主壁と上記ガード壁に対して、開位置から閉位置に旋回移動するように設けられた刃ロックアームからなることを特徴とする請求項２に記載の万能ナイフ。
【請求項４】
上記刃ロックアームは、上記刃ロックアームから延在する刃ロックフィンガーを有し、上記刃ロックフィンガーは、上記刃ロックアームが上記閉位置にあるとき、上記刃に設けられたノッチに入り込み、上記刃を定位置に保持することができるようにされたことを特徴とする請求項３に記載の万能ナイフ。
【請求項５】
上記刃ロックアームは、上記刃ロックアームが上記閉位置にあるとき、上記刃ホルダに設けた溝に入り込むことができるようにされたことを特徴とする請求項４に記載の万能ナイフ。
【請求項６】
上記溝は、上記主壁および上記ガード壁の、対向する薄肉の上縁部により形成されることを特徴とする請求項５に記載の万能ナイフ。
【請求項７】
上記刃ホルダは、後端部と前端部を有し、上記前端部は、上記ガード壁と上記主壁からなり、上記後端部は、上記ハンドルに旋回可能に取り付けられ、上縁部と下縁部とを有する請求項６に記載の万能ナイフ。
【請求項８】
上記刃ロックアームは、上記上縁部に隣接した上記刃ホルダの上記前端部に旋回可能に取り付けられたことを特徴とする請求項７に記載の万能ナイフ。
【請求項９】
上記溝は、その下方にクリアランス領域を有することを特徴とする請求項８に記載の万能ナイフ。
【請求項１０】
上記刃ロックアームは、上記刃ロックアームから延在するフィンガータブを有することを特徴とする請求項８に記載の万能ナイフ。
【請求項１１】
上記刃ロックアームをその閉位置に向けて付勢するためのスプリングを設けたことを特徴とする請求項８に記載の万能ナイフ。
【請求項１２】
上記ハンドルは、一対の離隔したハンドル半部からなり、上記ハンドル半部は、上記刃ホルダが折り畳み状態にあるとき、上記刃ホルダの少なくとも一部を収容するための空間部をその間に形成することができるようにされ、上記ハンドルは、上記ハンドル内の上記空間部に取り付けられた旋回ロックレバーアセンブリを有し、上記ロックレバーアセンブリは、前方アームと、後方アームと、上記前方アームから延在するロックフィンガーとを有することを特徴とする請求項８に記載の万能ナイフ。
【請求項１３】
上記刃ホルダの上記後端部は、上記刃ホルダが展開状態にあるとき、上記ロックフィンガーを収容することができる溝を有することを特徴とする請求項１２に記載の万能ナイフ。
【請求項１４】
上記ロックレバーアセンブリの上記後方アームの下側にバネ手段を設けて上記後方アームを上方に付勢し上記前方アームを下方に付勢することにより、上記ロックフィンガーを上記溝に入り込ませ、上記バネ手段の張力に抗して上記後方アームを押し下げることにより上記前方アームを上昇させ、上記ロックフィンガーを上記溝から出し、上記刃ホルダを上記ハンドルに対して展開状態から折り畳み状態に旋回させて上記ハンドル内の上記空間部に収容することができることを特徴とする請求項１３に記載の万能ナイフ。
【請求項１５】
上記ハンドルは、その上縁部にノッチを有し、上記後方アームは上記ノッチの上に突出し、上記ノッチにおいて上記後方アームを押し下げることにより、上記前端部を上方に上昇させて、上記ロックフィンガーを上記ロック溝から抜き出すことができることを特徴とする請求項１４に記載の万能ナイフ。
【請求項１６】
上記刃ロックアームは、上記上縁部に隣接した上記刃ホルダの上記後端部に旋回可能に取り付けられたことを特徴とする請求項７に記載の万能ナイフ。
【請求項１７】
上記刃ロックアームは２アームレバーからなることを特徴とする請求項１６に記載の万能ナイフ。
【請求項１８】
上記ロックアームの一方の下側に、上記刃ロックアームをその閉位置に向けて付勢するスプリングを設けたことを特徴とする請求項１７に記載の万能ナイフ。
【請求項１９】
上記刃ロックアームは、後方アームと前方アームからなり、上記後方アームの下側に上記スプリングを設けて上記前方アームを上記溝内の閉位置に向けて付勢することを特徴とする請求項２０に記載の万能ナイフ。
【請求項２０】
上記溝は、その下方にクリアランス領域を有することを特徴とする請求項１９に記載の万能ナイフ。
【請求項２１】
上記ハンドルは、一対の離隔したハンドル半部からなり、上記ハンドル半部は、上記刃ホルダが折り畳み状態にあるとき、上記刃ホルダの少なくとも一部を収容するための空間部をその間に形成することができるようにされ、上記ハンドルは、上記ハンドル内の上記空間部に取り付けられた旋回ロックレバーアセンブリを有し、上記ロックレバーアセンブリは、前方アームと、後方アームと、上記前方アームから延在するロックフィンガーとを有することを特徴とする請求項１９に記載の万能ナイフ。
【請求項２２】
上記刃ホルダの上記後端部は、上記刃ホルダが展開状態にあるとき、上記ロックフィンガーを収容することができる溝を有することを特徴とする請求項２１に記載の万能ナイフ。
【請求項２３】
上記ロックレバーアセンブリの上記後方アームの下側にバネ手段を設けて上記後方アームを上方に付勢し上記前方アームを下方に付勢することにより、上記ロックフィンガーを上記溝に入り込ませ、上記バネ手段の張力に抗して上記後方アームを押し下げることにより上記前方アームを上昇させ、上記ロックフィンガーを上記溝から出し、上記刃ホルダを上記ハンドルに対して展開状態から折り畳み状態に旋回させて上記ハンドル内の上記空間部に収容することができることを特徴とする請求項２２に記載の万能ナイフ。
【請求項２４】
上記ハンドルは、その上縁部にノッチを有し、上記後方アームは上記ノッチの上に突出し、上記ノッチにおいて上記後方アームを押し下げることにより、上記前端部を上方に上昇させて、上記ロックフィンガーを上記ロック溝から抜き出すことができることを特徴とする請求項２３に記載の万能ナイフ。
【請求項２５】
ハンドルと刃ホルダを有する万能ナイフにおいて、上記刃ホルダは、上記ハンドルに旋回可能に取り付けられて展開状態から折り畳み状態に移動することができ、上記刃ホルダは、一緒に取り付けられた主壁とガード壁を有し、上記主壁と上記ガード壁は、これらの間に刃を収容するための手段と、上記主壁と上記ガード壁の間に上記刃を保持するためのロック手段とを有し、上記ロック手段は、上記刃ホルダに対して移動できるように取り付けたことを特徴とする万能ナイフ。
【請求項２６】
上記ガード壁と上記主壁は組み合わせて取り付けられ、これらの間に刃を収容することができるスリットを有することを特徴とする請求項２５に記載の万能ナイフ。
【請求項２７】
上記ロック手段は、上記刃ホルダに対して、移動するように設けられた刃ロックアームからなることを特徴とする請求項２６に記載の万能ナイフ。
【請求項２８】
上記刃ロックアームは、上記刃ロックアームから延在する刃ロックフィンガーを有し、上記刃ロックフィンガーは、上記刃ロックアームが上記閉位置にあるとき、上記刃に設けられたノッチに入り込み、上記刃を定位置に保持することができるようにされたことを特徴とする請求項２７に記載の万能ナイフ。
【請求項２９】
上記刃ロックアームを上記刃ホルダに向けて付勢するためのバネ手段を設けたことを特徴とする請求項２８に記載の万能ナイフ。
【請求項３０】
上記刃ホルダは、後端部と前端部を有し、上記前端部は、上記ガード壁と上記主壁からなり、上記後端部は、上記ハンドルに旋回可能に取り付けられ、上縁部と下縁部とを有する請求項２９に記載の万能ナイフ。
【発明の詳細な説明】
【技術分野】
【０００１】
本発明は、万能ナイフ、特に、ナイフを使用しないときに、刃をハンドル内に折り畳むことができる、折り畳み可能な万能ナイフに関する。
【背景技術】
【０００２】
万能ナイフは、長年にわたり用いられてきた。用いられている万能ナイフのうちには、ナイフを使用しないときに、ハンドル内に折り畳み可能な刃ホルダに取り付けられた刃を有するものがある。しかしながら、このような万能ナイフのうちには、多数の可動部品を有するものがあり、このことは、ナイフを使用しにくくし、かつ、製造にかかる費用を高くする。さらに、このような万能ナイフのうちには、刃の交換が複雑な作業であり、特別な工具を必要とするものもある。
【発明の開示】
【発明が解決しようとする課題】
【０００３】
本発明の目的は、上記の問題を解決し、刃ホルダをハンドルの中に容易に折り畳むことができる改良された万能ナイフを提供することである。
【０００４】
本発明の別の目的は、刃が万能ナイフにしっかりと保持された、改良された万能ナイフを提供することである。
【０００５】
本発明の別の目的は、万能ナイフの刃を交換するための改良された手段が設けられた、改良された万能ナイフを提供することである。
【０００６】
本発明の別の目的は、使用が簡単で、製造と維持の費用が高くない、改良された万能ナイフを提供することである。
【０００７】
本発明のその他の及びさらなる目的は、以下に説明する実施例から明らかになり、また、特許請求の範囲に示される。さらに、当業者には、本発明を実施する際に、本文中に記載されていない種々の利点が生じるであろう。
【課題を解決するための手段】
【０００８】
本発明の一態様によれば、ハンドルと刃ホルダとを有する万能ナイフにおいて、上記刃ホルダは、上記ハンドルに旋回可能に取り付けられて展開状態から折り畳み状態に移動することができ、上記刃ホルダは、一緒に取り付けられた主壁とガード壁とを有し、上記主壁と上記ガード壁は、これらの間に刃を収容するための手段と、上記主壁と上記ガード壁の間に上記刃を保持するためのロック手段とを有し、上記ロック手段は、上記刃ホルダに旋回可能に取り付けられたことを特徴とする万能ナイフが得られる。
【０００９】
上記ガード壁と上記主壁は組み合わせて取り付けられ、これらの間に刃を収容することができるスリットを有してもよい。
【００１０】
上記ロック手段は、上記主壁と上記ガード壁に対して、開位置から閉位置に旋回移動するように設けられた刃ロックアームからなってもよい。
【００１１】
上記刃ロックアームは、上記刃ロックアームから延在する刃ロックフィンガーを有し、上記刃ロックフィンガーは、上記刃ロックアームが上記閉位置にあるとき、上記刃に設けられたノッチに入り込み、上記刃を定位置に保持することができるようにされてもよい。
【００１２】
上記刃ロックアームは、上記刃ロックアームが上記閉位置にあるとき、上記刃ホルダに設けた溝に入り込むことができるようにされてもよい。
【００１３】
上記溝は、上記主壁および上記ガード壁の、対向する薄肉の上縁部により形成されてもよい。
【００１４】
上記刃ホルダは、後端部と前端部を有し、上記前端部は、上記ガード壁と上記主壁からなり、上記後端部は、上記ハンドルに旋回可能に取り付けられ、上縁部と下縁部とを有してもよい。
【００１５】
上記刃ロックアームは、上記上縁部に隣接した上記刃ホルダの上記前端部に旋回可能に取り付けられてもよい。
【００１６】
上記溝は、その下方にクリアランス領域を有してもよい。
【００１７】
上記刃ロックアームは、上記刃ロックアームから延在するフィンガータブを有してもよい。
【００１８】
上記刃ロックアームをその閉位置に向けて付勢するためのスプリングを設けてもよい。
【００１９】
上記ハンドルは、一対の離隔したハンドル半部からなり、上記ハンドル半部は、上記刃ホルダが折り畳み状態にあるとき、上記刃ホルダの少なくとも一部を収容するための空間部をその間に形成することができるようにされ、上記ハンドルは、上記ハンドル内の上記空間部に取り付けられた旋回ロックレバーアセンブリを有し、上記ロックレバーアセンブリは、前方アームと、後方アームと、上記前方アームから延在するロックフィンガーとを有してもよい。
【００２０】
上記刃ホルダの上記後端部は、上記刃ホルダが展開状態にあるとき、上記ロックフィンガーを収容することができる溝を有してもよい。
【００２１】
上記ロックレバーアセンブリの上記後方アームの下側にバネ手段を設けて上記後方アームを上方に付勢し上記前方アームを下方に付勢することにより、上記ロックフィンガーを上記溝に入り込ませ、上記バネ手段の張力に抗して上記後方アームを押し下げることにより上記前方アームを上昇させ、上記ロックフィンガーを上記溝から出し、上記刃ホルダを上記ハンドルに対して展開状態から折り畳み状態に旋回させて上記ハンドル内の上記空間部に収容することができるようにしてもよい。
【００２２】
上記ハンドルは、その上縁部にノッチを有し、上記後方アームは上記ノッチの上に突出し、上記ノッチにおいて上記後方アームを押し下げることにより、上記前端部を上方に上昇させて、上記ロックフィンガーを上記ロック溝から抜き出すことができるようにしてもよい。
【００２３】
上記刃ロックアームは、上記上縁部に隣接した上記刃ホルダの上記後端部に旋回可能に取り付けられてもよい。
【００２４】
上記刃ロックアームは２アームレバーからなってもよい。
【００２５】
上記ロックアームの一方の下側に、上記刃ロックアームをその閉位置に向けて付勢するスプリングを設けてもよい。
【００２６】
上記刃ロックアームは、後方アームと前方アームからなり、上記後方アームの下側に上記スプリングを設けて上記前方アームを上記溝内の閉位置に向けて付勢してもよい。
【００２７】
上記溝は、その下方にクリアランス領域を有してもよい。
【００２８】
上記ハンドルは、一対の離隔したハンドル半部からなり、上記ハンドル半部は、上記刃ホルダが折り畳み状態にあるとき、上記刃ホルダの少なくとも一部を収容するための空間部をその間に形成することができるようにされ、上記ハンドルは、上記ハンドル内の上記空間部に取り付けられた旋回ロックレバーアセンブリを有し、上記ロックレバーアセンブリは、前方アームと、後方アームと、上記前方アームから延在するロックフィンガーとを有してもよい。
【００２９】
上記刃ホルダの上記後端部は、上記刃ホルダが展開状態にあるとき、上記ロックフィンガーを収容することができる溝を有してもよい。
【００３０】
上記ロックレバーアセンブリの上記後方アームの下側にバネ手段を設けて上記後方アームを上方に付勢し上記前方アームを下方に付勢することにより、上記ロックフィンガーを上記溝に入り込ませ、上記バネ手段の張力に抗して上記後方アームを押し下げることにより上記前方アームを上昇させ、上記ロックフィンガーを上記溝から出し、上記刃ホルダを上記ハンドルに対して展開状態から折り畳み状態に旋回させて上記ハンドル内の上記空間部に収容することができるようにしてもよい。
【００３１】
上記ハンドルは、その上縁部にノッチを有し、上記後方アームは上記ノッチの上に突出し、上記ノッチにおいて上記後方アームを押し下げることにより、上記前端部を上方に上昇させて、上記ロックフィンガーを上記ロック溝から抜き出すことができるようにしてもよい。
【００３２】
ハンドルと刃ホルダを有する万能ナイフにおいて、上記刃ホルダは、上記ハンドルに旋回可能に取り付けられて展開状態から折り畳み状態に移動することができ、上記刃ホルダは、一緒に取り付けられた主壁とガード壁を有し、上記主壁と上記ガード壁は、これらの間に刃を収容するための手段と、上記主壁と上記ガード壁の間に上記刃を保持するためのロック手段とを有し、上記ロック手段は、上記刃ホルダに対して移動できるように取り付けてもよい。
【００３３】
上記ガード壁と上記主壁は組み合わせて取り付けられ、これらの間に刃を収容することができるスリットを有してもよい。
【００３４】
上記ロック手段は、上記刃ホルダに対して、移動するように設けられた刃ロックアームからなってもよい。
【００３５】
上記刃ロックアームは、上記刃ロックアームから延在する刃ロックフィンガーを有し、上記刃ロックフィンガーは、上記刃ロックアームが上記閉位置にあるとき、上記刃に設けられたノッチに入り込み、上記刃を定位置に保持することができるようにされてもよい。
【００３６】
上記刃ロックアームを上記刃ホルダに向けて付勢するためのバネ手段を設けてもよい。
【００３７】
上記刃ホルダは、後端部と前端部を有し、上記前端部は、上記ガード壁と上記主壁からなり、上記後端部は、上記ハンドルに旋回可能に取り付けられ、上縁部と下縁部とを有してもよい。
【発明の効果】
【００３８】
本発明によれば、刃ホルダをハンドル内に容易に折り畳むことができ、万能ナイフに刃を固定するための改良された手段ならびにナイフの刃を交換するための改良された手段を備えた、使用が簡単で製造と保持に高い費用のかからない、万能ナイフを提供することができる。
【発明を実施するための最良の形態】
【００３９】
以下、本発明の好ましい実施例について、図面を参照して説明する。
【００４０】
図面を参照すると、特に、図１〜図１０に示した本発明の実施例を参照すると、本発明の万能ナイフ１は、ハンドル２と刃ホルダ３を有する。
【００４１】
ハンドル２は、一対のハンドル半部２Ａと２Ｂからなり、各半部は、外側壁１１と、上縁部７と、下縁部９とを有する。後部スペーサ４がハンドル半部２Ａと２Ｂの間に設けられ、ハンドル半部２Ａと２Ｂを離間した状態に保つとともに、ハンドル半部２Ａと２Ｂの間に空間部５を形成している。スペーサ４と、ハンドル半部２Ａおよび２Ｂは、留め具６により一緒に保持され、この留め具６はスペーサ４とハンドル半部２Ａおよび２Ｂを貫通することによりこれらを一緒に保持してもよい。ハンドル半部２Ａと２Ｂ（すなわち全ハンドル２）の上縁部７は、フィンガーノッチ８を有し、ハンドル半部２Ａと２Ｂ（すなわち全ハンドル２）の下縁部９は、ユーザの指がハンドル２を握れるように、波状に形成してもよい。所望に応じ、クリップ１０をハンドル半部２Ａおよび／または２Ｂの側壁１１に取り付けて、万能ナイフ１をユーザのベルトやその他の便利な場所などに固定することができるようにしてもよい。
【００４２】
ハンドル半部２Ａと２Ｂの間に介在して、且つ、ハンドル半部２Ａと２Ｂの上縁部７に沿って、ロックレバーアセンブリ１５（図３〜図５）が設けられ、このロックレバーアセンブリ１５は、ハンドル半部２Ａと２Ｂの間に、ピボットピン１６を支点として旋回可能に取り付けられている。このピボットピン１６は、２つのハンドル半部２Ａおよび２Ｂとロックレバーアセンブリ１５を通って延在する。ロックレバーアセンブリ１５は、好ましくは、前方アーム１７と後方アーム１８をそれぞれ有する２アームレバーである。前方アーム１７は、下方に延在するロックフィンガー１９を備える。ロックレバーアセンブリ１５の後方アーム１８の下には、スプリング１４が設けられ、このスプリング１４は、通常状態では、後方アーム１８の下縁部に押し当てられ、ピボットピン１６を支点として後方アーム１８を上方に、前方アーム１７を下方に付勢しており、したがって、後方アーム１８はノッチ８上に突出している。ロックレバーアセンブリ１５の後方アーム１８をスプリング１４の作用に抗してノッチ８を介して手指で押し下げると、前方アーム１７が上昇する。
【００４３】
本発明による刃ホルダ３は、好ましくは一つの部品であり、互いに一体に形成された後端部３１と前端部３２を有する。
【００４４】
刃ホルダ３の後端部３１は、後縁部３１Ａと、下縁部３１Ｂと、上縁部３１Ｃを有する。刃ホルダ３は、ハンドル半部２Ａと２Ｂの間の空間部５内に、ピボットピン３０を支点として旋回可能に取り付けられている。フィンガーノブ４１を後端部３１に設けると、ハンドル２に対する刃ホルダ３の旋回運動を容易にすることができる。後端部３１の上縁部３１Ｃはロック溝３３を有し、刃ホルダ３がその延在状態すなわち展開状態にある時に、ロックアセンブリ１５の下方に延在するロックフィンガー１９がこのロック溝３３に入り込むようにされている。
【００４５】
刃ホルダ３は、薄い主壁３４と、薄いガード壁３５からなり、これらの主壁３４とガード壁３５は、一緒に溶接する、あるいは、適当な留め具を用いて一緒に固定するなどの周知の手段により、一緒に保持されている。主壁３４とガード壁３５は、一つの部品から、互いに一体に形成してもよい。上縁部３６に隣接した主壁３４とガード壁３５の対向する内側部分は、主壁３４とガード壁３５のその他の部分の厚みよりも薄く、これらの間に溝５０を形成している。溝５０は、この溝５０と連通した、下方に延在するクリアランス領域５１を有する。主壁３４とガード壁３５の内部には、細長いスリット５２が形成され、主壁３４とガード壁３５の間でこのスリット５２の内部に刃Ｂを収容して保持することができるようになっている。刃Ｂは、好ましくは、下部切断縁部３７と、その上縁部３９に設けられた離隔したノッチ３８とを有する。刃Ｂは、主壁３４とガード壁３５の間でスライドしてスリット５２に出入するようになっている。開口部５３を主壁３４とガード壁３５に設けて、刃Ｂをスリット５２にうまく出し入れできるようユーザが補助できるようにしてもよい。
【００４６】
刃ロックアーム４５が、ピボットピン４６上に、溝５０内に旋回可能に取り付けられ、旋回移動して溝５０に出入するようにされている。好ましくは、ピボットピン４６は、刃ホルダ３の前端部３２に設けられ、刃ロックアーム４５は、その前端部４５Ｆを中心として旋回する。しかしながら、ピボットピン４６を後端部３１に設けてもよく、その場合には、刃ロックアーム４５はその後端部４５Ｒを中心として旋回する。刃ロックアーム４５は、下方に延在する刃ロックフィンガー４７と、そこから横方向に延在するフィンガータブ４８とを有する。刃ロックアーム４５をピボットピン４６を支点として下方に旋回させると、刃ロックアーム４５が溝５０におさまり、上記刃ロックフィンガー４７が刃Ｂの上部ノッチ３８の一つに入り込むことにより、刃Ｂを定位置にロックする。溝５０に形成された下方に延在するクリアランス領域５１は、刃ロックフィンガー４７が下方位置にあるとき、刃ロックフィンガー４７の外縁部を受け入れて収容する。刃Ｂを取り外して交換したい場合には、刃ロックアーム４５を上記フィンガータブ４８を用いて上方に旋回させて、刃ロックアーム４５を溝５０から取り出すとともに、刃ロックフィンガー４７を刃ノッチ３８から抜き出すことにより、刃Ｂを解放し、刃Ｂをスリット５２の外にスライドさせることが可能となる。図示したような単一の刃ロックフィンガー４７ではなく、刃のノッチ３８に入り込む複数の刃ロックフィンガー４７を有することは本発明の範囲内であることはいうまでもない。
【００４７】
図８Ａに示す変形において、上部刃ノッチ３８に刃ロックフィンガー４７を入り込ませた状態で、圧縮バネ手段４９により溝５０内の下方に刃ロックアーム４５を保持する。刃Ｂを取り外したい場合には、刃ロックアーム４５をバネ４９の張力に抗して溝５０から持ち上げることにより、刃Ｂを解放する。
【００４８】
図１〜図１０の実施例に示した万能ナイフの操作に際しては、万能ナイフ１を、刃ホルダ３を折り畳まない展開操作状態にして、使用準備状態にする。刃Ｂは、刃Ｂの上縁部３９のノッチ３８まで延在する、刃ロックアーム４５（下方位置にある）の刃ロックフィンガー４７により、スリット５２内に保持されている。ロックレバーアセンブリ１５の前方アーム１７に形成されたロックフィンガー１９は、後方アーム１８に作用するスプリング１４の圧力のために、下方位置にあり、刃ホルダ３に設けた溝３３内に位置づけられ、刃ホルダ３をその展開状態に保っている。ロックレバーアセンブリ１５の後方アーム１８はその上昇位置にあり、ハンドル２の上縁部７のフィンガーノッチ８上に突出している。
【００４９】
万能ナイフ１を折り畳んだ操作不能状態にしたい場合、ロックレバーアセンブリ１５の後方アーム１８をスプリング１４の付勢力に抗してノッチ８を介して手指で押し下げる。これにより、ロックレバーアセンブリ１５の前方アームを上昇させて、溝３３からロックフィンガー１９を抜き出して刃ホルダ３を解放し、刃ホルダ３をピボットピン３０を支点として下方に旋回させる（図４）。これは、フィンガーノブ４１を押し下げることによって行ってもよい。次いで、刃ホルダ３を下方に旋回させ、ハンドル半部２Ａと２Ｂの間の空間部５内に完全に収容する（図５）。後方アーム１８に対する圧力が解除されると、スプリング１４は、スプリング１４の張力により、後方アーム１８を移動させて元の上昇位置に戻す。これにより、ロックフィンガー１９を刃ホルダ３の下縁部３１Ｂに押し当て、刃ホルダ３をその折り畳み状態に保持する。
【００５０】
刃Ｂを使用したい場合には、逆の手順をたどる。刃ホルダ３を反対方向に旋回させる。好ましくは、ロックレバーアセンブリ１５の後方アーム１８を再び手指で押し下げることで、刃ホルダ３の展開を支援する。刃ホルダ３を反時計方向に引き続き回転させると（図４に示すように）、前方アーム１７のロックフィンガー１９が刃ホルダ３の後端部３１に設けた溝３３に入り込み、刃ホルダ３をその延長状態に保つ。
【００５１】
刃Ｂを交換したい場合、刃ホルダ３をその展開状態にして（図６に示すように）、フィンガータブ４８により、ピボットピン４６を支点として刃ロックアーム４５を上方に持ち上げて溝から出す。これにより、刃Ｂの刃上縁部３９に設けられたノッチ３８から刃ロックフィンガー４７を抜き出して、刃Ｂを解放する。図８Ａの変形において、このことは、スプリング４９の張力に抗して行われる。そこで、刃Ｂをスリット５２を介して刃ホルダ３から取り出すことができ、スリット５２を介してここに新しい刃Ｂを取り付けることができる。次いで、刃ロックアーム４５を下降させて溝５０内に戻し（図８Ａの変形においてはスプリング４９により）、刃Ｂのノッチ３８に刃ロックフィンガー４７を進入させることにより、刃Ｂを定位置にロックする。
【００５２】
以下、図１１〜図２０に示す本発明の実施例を参照すると、図１〜図１０に示す実施例の構造と同様の本実施例の構造には、同一の参照番号を付して示す。
【００５３】
図１１〜図２０に示す実施例の万能ナイフ１は、ハンドル２と刃ホルダ３を有する。
【００５４】
ハンドル２は、一対のハンドル半部２Ａと２Ｂからなり、各半部は、外側壁１１と、上縁部７と、下縁部９とを有する。後部スペーサ４がハンドル半部２Ａと２Ｂの間に設けられ、ハンドル半部２Ａと２Ｂを離間した状態に保つとともに、ハンドル半部２Ａと２Ｂの間に空間部５を形成している。スペーサ４と、ハンドル半部２Ａおよび２Ｂは、留め具６により一緒に保持され、この留め具６はスペーサ４とハンドル半部２Ａおよび２Ｂを貫通することによりこれらを一緒に保持してもよい。ハンドル半部２Ａと２Ｂ（すなわち全ハンドル２）の上縁部７は、フィンガーノッチ８を有し、ハンドル半部２Ａと２Ｂ（すなわち全ハンドル２）の下縁部９は、ユーザの指がハンドル２を握れるように、波状に形成してもよい。所望に応じ、クリップ１０をハンドル半部２Ａおよび／または２Ｂの側壁１１に取り付けて、万能ナイフ１をユーザのベルトやその他の便利な場所などに固定することができるようにしてもよい。
【００５５】
ハンドル半部２Ａと２Ｂの間に介在して、且つ、ハンドル半部２Ａと２Ｂの上縁部７に沿って、ロックレバーアセンブリ１５（図３〜図５）が設けられ、このロックレバーアセンブリ１５は、ハンドル半部２Ａと２Ｂの間に、ピボットピン１６を支点として旋回可能に取り付けられている。このピボットピン１６は、２つのハンドル半部２Ａおよび２Ｂとロックレバーアセンブリ１５を通って延在する。ロックレバーアセンブリ１５は、好ましくは、前方アーム１７と後方アーム１８をそれぞれ有する２アームレバーである。前方アーム１７は、下方に延在するロックフィンガー１９を備える。ロックレバーアセンブリ１５の後方アーム１８の下には、スプリング１４が設けられ、このスプリング１４は、通常状態では、後方アーム１８の下縁部に押し当てられ、ピボットピン１６を支点として後方アーム１８を上方に、前方アーム１７を下方に付勢しており、したがって、後方アーム１８はノッチ８上に突出している。ロックレバーアセンブリ１５の後方アーム１８をスプリング１４の作用に抗してノッチ８を介して下方に押すと、前方アーム１７が上昇する。
【００５６】
本発明による刃ホルダ３は、好ましくは一つの部品であり、互いに一体に形成された後端部３１と前端部３２を有する。
【００５７】
刃ホルダ３の後端部３１は、後縁部３１Ａと、下縁部３１Ｂと、上縁部３１Ｃを有する。刃ホルダ３は、ハンドル半部２Ａと２Ｂの間の空間部５内に、ピボットピン３０を支点として旋回可能に取り付けられている。後端部３１の上縁部３１Ｃはロック溝３３を有し、刃ホルダ３がその延在状態すなわち展開状態にある時に、ロックアセンブリ１５の下方に延在するロックフィンガー１９がこのロック溝３３に入り込むようにされている。
【００５８】
刃ホルダ３は、薄い主壁３４と、薄いガード壁３５からなり、これらの主壁３４とガード壁３５は、一緒に溶接する、あるいは、適当な留め具を用いて一緒に固定するなどの周知の手段により、一緒に保持されている。所望に応じ、主壁３４とガード壁３５は、一つの部品から、互いに一体に形成してもよい。上縁部３６に隣接した主壁３４とガード壁３５の対向する内側部分は、主壁３４とガード壁３５のその他の部分の厚みより内側においてより薄くこれらの間に溝５０を形成している。溝５０は、下方に延在するクリアランス領域５１を有する。主壁３４とガード壁３５は、刃ホルダ３の後端部３１に隣接したフィンガーノッチ７０を有する。主壁３４とガード壁３５の内部には、細長いスリット５２が形成され、主壁３４とガード壁３５の間でこのスリット５２の内部に刃Ｂを収容して保持することができるようになっている。刃Ｂは、好ましくは、下部切断縁部３７と、その上縁部３９に設けられた離隔したノッチ３８とを有する。刃Ｂは、主壁３４とガード壁３５の間でスライドしてスリット５２に出入するようになっている。開口部５３を主壁３４とガード壁３５に設けて、刃Ｂをスリット５２にうまく出し入れできるようユーザが補助できるようにしてもよい。
【００５９】
刃ロックアーム１４５が、ピボットピン１４６上に、溝５０内に旋回可能に取り付けられている。好ましくは、ピボットピン１４６は、刃ホルダ３の後端部３１に設けられる。しかしながら、ピボットピン１４６は前端部３２に設けられてもよい。刃ロックアーム１４５は、好ましくは、前方アーム１４５Ｆと後方アーム１４５Ｒをそれぞれ有する２アームレバーである。前方アーム１４５Ｆは、下方に延在する一対の刃ロックフィンガー１４７を備えるが、単一の刃ロックフィンガー１４７（あるいは、刃Ｂが２つより多くの上縁部ノッチ３８を有する場合は、２つより多く）を用いてもよい。刃ロックアーム１４５の後方アーム１４５Ｒの下には、スプリング１６０が設けられ、このスプリング１６０は、通常状態では、後方アーム１４５Ｒの下部に押し当てられ、ピボットピン１４６を支点として後方アーム１４５Ｒを上方に、前方アーム１４５Ｆを下方に付勢しており、したがって、後方アーム１４５Ｒはフィンガーノッチ７０上に突出している。刃ロックアーム１４５の後方アーム１４５Ｒをスプリング１６０の作用に抗してフィンガーノッチ７０を介して手指で押し下げると、前方アーム１４５Ｆが上昇する。アーム１４５をスプリング１６０の張力のもとでピボットピン１４６を支点として下方に旋回させると、アーム１４５が溝５０におさまり、前方アーム１４５Ｆの上記刃ロックフィンガー１４７が刃Ｂの上部ノッチ３８に入り込むことにより、刃Ｂを定位置にロックする。溝５０に形成された下方に延在するクリアランス領域５１は、刃ロックフィンガー１４７が下方位置にあるとき、刃ロックフィンガー１４７の外縁部を受け入れて収容する。刃Ｂを取り外して交換したい場合には、フィンガーノッチ７０を介して後方アーム１４５Ｒに手指の圧力を加えることにより後方アーム１４５Ｒを上方に旋回させて、これにより、刃ロックアーム１４５の前方アーム１４５Ｆを溝５０から出すとともに、刃ロックフィンガー１４７をノッチ３８から抜き出すことにより、刃Ｂを解放し、刃Ｂをスリット５２の外にスライドさせることが可能となる。
【００６０】
図１１〜図２０の実施例に示した万能ナイフの操作に際しては、万能ナイフ１を、刃ホルダ３を折り畳まない展開操作状態にして、使用準備状態にする。刃Ｂは、刃Ｂの上縁部３９のノッチ３８まで延在する、刃ロックアーム１４５（下方位置にある）の刃ロックフィンガー１４７により、スリット５２内に保持されている。ロックレバーアセンブリ１５の前方アーム１７に形成されたロックフィンガー１９は、後方アーム１８に作用するスプリング１４の圧力のために、下方位置にあり、刃ホルダ３に設けた溝３３内に位置づけられ、刃ホルダ３をその展開状態に保っている。ロックレバーアセンブリ１５の後方アーム１８はその上昇位置にあり、ハンドル２の上縁部７のフィンガーノッチ８上に突出している。
【００６１】
万能ナイフ１を折り畳んだ操作不能状態にしたい場合、ロックレバーアセンブリ１５の後方アーム１８をスプリング１４の付勢力に抗してフィンガーノッチ８を介して手指で押し下げる。これにより、ロックレバーアセンブリ１５の前方アームを上昇させて、溝３３からロックフィンガー１９を抜き出して刃ホルダ３を解放し、刃ホルダ３をピボットピン３０を支点として下方に旋回させる（図１４）。次いで、刃ホルダ３を下方に旋回させ、ハンドル半部２Ａと２Ｂの間の空間部５内に完全に収容する（図１５）。後方アーム１８に対する圧力が解除されると、スプリング１４は、スプリング１４の張力により、後方アーム１８を移動させて元の上昇位置に戻す。これにより、ロックフィンガー１９を刃ホルダ３の下縁部３１Ｂに押し当て、刃ホルダ３をその折り畳み状態に保持する。
【００６２】
刃Ｂを使用したい場合には、逆の手順をたどる。刃ホルダ３を反対方向に旋回させる。好ましくは、ロックレバーアセンブリ１５の後方アーム１８を再び手指で押し下げることで、刃ホルダ３の展開を支援する。刃ホルダ３を反時計方向に引き続き回転させると（図１４に示すように）、前方アーム１７のロックフィンガー１９が刃ホルダ３の後端部３１に設けた溝３３に入り込み、刃ホルダ３をその延長状態に保つ。
【００６３】
刃Ｂを交換したい場合、刃ホルダ３をその展開状態にする（図１６に示すように）。刃ロックアーム１４５は前方アーム１４５Ｆを有し、この前方アーム１４５Ｆは、フィンガーノッチ７０を介して後方アーム１４５Ｒに圧力を加えることにより、ピボットピン１４６を支点として上方に持ち上げられる。これにより、刃ロックアーム１４５を溝５０から出し、刃上縁部３９に設けられたノッチ３８から刃ロックフィンガー１４７を抜き出して、刃Ｂを解放する。そこで、刃Ｂをスリット５２を介して［通って］刃ホルダ３から取り出すことができ、スリット５２を介してここに新しい刃Ｂを取り付けることができる。次に、フィンガーノッチ７０を介して後方アーム１４５Ｒへの下向きの圧力を解放することにより刃ロックアーム１４５を下降させて、スプリング１６０の張力により溝５０内に戻し、刃Ｂのノッチ３８に刃ロックフィンガー１４７を進入させることにより、刃Ｂを定位置にロックする。
【００６４】
なお、本発明は上記の実施例に限定されるものではなく、請求項の範囲を逸脱することなく種々の変形が可能であることは、当業者であれば明らかであろう。
【図面の簡単な説明】
【００６５】
【図１】本発明の一実施例による万能ナイフの斜視図である。
【図２】図１に示す万能ナイフの上面図である。
【図３】図２の線３−３に沿った断面図である。
【図４】部分的に折り畳んだ状態における万能ナイフを示す、図３と同様な断面図である。
【図５】完全に折り畳んだ状態における万能ナイフを示す、図３と同様な断面図である。
【図６】図２の線６−６に沿った断面図である。
【図７】図２の線７−７に沿った断面図である。
【図８】刃を取り外した状態を示す、図６と同様な断面図である。
【図８Ａ】図８の変形を示す図である。
【図９】図８の線９−９に沿った断面図である。
【図１０】図１に示す万能ナイフの背面図である。
【図１１】本発明の他の実施例による万能ナイフの斜視図である。
【図１２】図１１に示す万能ナイフの上面図である。
【図１３】図１２の線１３−１３に沿った断面図である。
【図１４】部分的に折り畳んだ状態における万能ナイフを示す、図１３と同様な断面図である。
【図１５】完全に折り畳んだ状態における万能ナイフを示す、図１３と同様な断面図である。
【図１６】図１２の線１６−１６に沿った断面図である。
【図１７】図１２の線１７−１７に沿った断面図である。
【図１８】刃を取り外した状態を示す、図１７と同様な断面図である。
【図１９】図１８の線１９−１９に沿った断面図である。
【図２０】図１１に示す万能ナイフの背面図である。
【符号の説明】
【００６６】
１  万能ナイフ
２  ハンドル
２Ａ、２Ｂ  ハンドル半部
３  刃ホルダ
４  後部スペーサ
５  空間部
６  留め具
７、３６、３９  上縁部
８、７０  フィンガーノッチ
９  下縁部
１０  クリップ
１１  外側壁
１４、１６０  スプリング
１５  ロックレバーアセンブリ
１６、３０、４６、１４６  ピボットピン
１７、１４５Ｆ  前方アーム
１８、１４５Ｒ  後方アーム
１９  ロックフィンガー
３１  後端部
３１Ａ  後縁部
３１Ｂ  下縁部
３１Ｃ  上縁部
３２  前端部
３３  ロック溝
３４  主壁
３５  ガード壁
３７  切断縁部
３８  ノッチ
４１  フィンガーノブ
４５、１４５  刃ロックアーム
４５Ｆ  前端部
４５Ｒ  後端部
４７、１４７  刃ロックフィンガー
４８  フィンガータブ
４９  圧縮バネ手段
５０  溝
５１  クリアランス領域
５２  スリット
５３  開口部
Ｂ  刃
【図１】
2005261944.tif 000003
【図２】
2005261944.tif 000004
【図３】
2005261944.tif 000005
【図４】
2005261944.tif 000006
【図５】
2005261944.tif 000007
【図６】
2005261944.tif 000008
【図７】
2005261944.tif 000009
【図８】
2005261944.tif 000010
【図８Ａ】
2005261944.tif 000011
【図９】
2005261944.tif 000012
【図１０】
2005261944.tif 000013
【図１１】
2005261944.tif 000014
【図１２】
2005261944.tif 000015
【図１３】
2005261944.tif 000016
【図１４】
2005261944.tif 000017
【図１５】
2005261944.tif 000018
【図１６】
2005261944.tif 000019
【図１７】
2005261944.tif 000020
【図１８】
2005261944.tif 000021
【図１９】
2005261944.tif 000022
【図２０】
2005261944.tif 000023